(57)【要約】【課題】フード前面部と吊戸棚や幕板のデザインを調和させることができることを目的とする。【解決手段】遠心ファン１２を内蔵するファンボックス４と、ファンボックス４に接続されるフード本体６と、を備えたレンジフード１であって、フード本体６は、フロントフード１３を含み、フロントフード１３は、フード前面部１４と、面材固定部１５と、を含み、フード前面部１４は、ファンボックス４から離れる方向に向かって面材固定部１５から突出し、面材固定部１５に面材１６が取り付けられる。この構成により、フロントフード１３前面を豊富な種類のある面材に合わせて選択し、取り付けることができるので、フロントフード１３前面と吊戸棚や幕板のデザインを調和させることができる。【選択図】図１
2020139651.tif 000002
【特許請求の範囲】
【請求項１】
送風機を内蔵するファンボックスと、
前記ファンボックスに接続されるフード本体と、を備えたレンジフードであって、
前記フード本体は、フロントフードを含み、
前記フロントフードは、フード前面部と、面材固定部と、を含み、
前記フード前面部は、前記ファンボックスから離れる方向に向かって前記面材固定部から突出し、
前記面材固定部に面材が取り付けられることを特徴とするレンジフード。
【請求項２】
前記面材固定部に前記面材が取り付けられている状態において、前記面材と前記フード前面部とで略一平面を形成することを特徴とする請求項１に記載のレンジフード。
【請求項３】
前記面材固定部は、開口を有し、
前記面材は、取付金具を備え、
前記開口と前記取付金具とが係合することを特徴とする請求項１または２に記載のレンジフード。
【請求項４】
前記取付金具は、突起部と、水平面と、を有し、
前記面材固定部に前記面材が取り付けられている状態において、前記突起部は前記開口に挿入され、前記水平面は前記面材固定部の上面と当接することを特徴とする請求項３に記載のレンジフード。
【請求項５】
前記送風機の運転を操作する操作部を前記フード前面部に設けたことを特徴とする請求項１〜４のいずれか１項に記載のレンジフード。
【発明の詳細な説明】
【技術分野】
【０００１】
本発明は、調理機器の上方に設置され、調理時に発生する油煙を捕集して屋外に排気するレンジフードに関するものである。
【背景技術】
【０００２】
従来、この種のレンジフードは、設置後に外観となる部分のデザインとして、吊戸棚との調和を目的として幕板が取り付けられているものが知られている（例えば、特許文献１参照）。
【０００３】
以下、そのレンジフードについて図８を参照しながら説明する。
【０００４】
図８は、特許文献１に開示されている従来のレンジフードの構成図である。下面を開口したフード１０１の上面に、調理時に発生する油煙を捕集して屋外へ排気する送風機（図示せず）を内部に収納したファンボックス１０２を設けている。このファンボックス１０２には屋外に連通配管されたダクト（図示せず）が連通接続されている。
【０００５】
そして、フード１０１の側方には吊戸棚１０３が設置され、フード１０１と吊戸棚１０３との調和、および、フード１０１上方のファンボックス１０２とダクトを覆い隠す目的で、吊戸棚１０３または壁面１０４に固定された補助金具（図示せず）によって、幕板１０５がフード１０１の上面前部に取り付けられている。
【０００６】
また、近年キッチンのデザイン性の向上が求められ、吊戸棚１０３の前面を構成する面材を幕板１０５として取り付けるものもあり、外観のデザインの調和が図られている。
【先行技術文献】
【特許文献】
【０００７】
【特許文献１】特開２０１０−１０１５２９号公報
【発明の概要】
【発明が解決しようとする課題】
【０００８】
このような従来のレンジフードにおいて、フード前面部のデザインを吊戸棚や幕板と調和させようとすると、外観となるフード前面部を構成する板金部品の塗装色を選択すればよいが、吊戸棚の豊富な面材の種類（例えば、５０〜９０種類）に対してフード前面部の選択できる塗装色（例えば、シルバー、黒、白）が限られるためデザインが調和しない、という課題を有していた。
【０００９】
そこで本発明は、上記従来の課題を解決するものであり、フード前面部と吊戸棚や幕板のデザインを調和させることができるレンジフードを提供することを目的とする。
【課題を解決するための手段】
【００１０】
そして、この目的を達成するために、本発明の一態様に係るレンジフードは、送風機を内蔵するファンボックスと、前記ファンボックスに接続されるフード本体と、を備えたレンジフードであって、前記フード本体は、フロントフードを含み、前記フロントフードは、フード前面部と、面材固定部と、を含み、前記フード前面部は、前記ファンボックスから離れる方向に向かって前記面材固定部から突出し、前記面材固定部に面材が取り付けられる構成としたものであり、これにより所期の目的を達成するものである。
【発明の効果】
【００１１】
本発明によれば、フロントフード前面を豊富な面材の種類に合わせて選択して設置することができるので、フロントフード前面と吊戸棚や幕板のデザインを調和させることができる、という効果を得ることができる。
【図面の簡単な説明】
【００１２】
【図１】本発明の実施の形態１におけるレンジフードを示す側面構成図
【図２】同レンジフードを下方から見た斜視図
【図３】同レンジフードを上方から見た斜視図
【図４】同レンジフードのフロントフード、面材を取り外した状態の斜視図
【図５】同レンジフードの面材固定部の詳細図
【図６】同レンジフードの面材の詳細図
【図７】同レンジフードの面材取り付け時の動きを示す側面断面図
【図８】従来のレンジフードを示す斜視図
【発明を実施するための形態】
【００１３】
本発明の一態様に係るレンジフードは、送風機を内蔵するファンボックスと、前記ファンボックスに接続されるフード本体と、を備えたレンジフードであって、前記フード本体は、フロントフードを含み、前記フロントフードは、フード前面部と、面材固定部と、を含み、前記フード前面部は、前記ファンボックスから離れる方向に向かって前記面材固定部から突出し、前記面材固定部に面材が取り付けられる。この構成により、フロントフード前面に、吊戸棚と同じく豊富な種類から選択した面材を設置することとなるので、フロントフード前面と吊戸棚や幕板のデザインを調和させることができる、という効果を奏する。
【００１４】
また、前記面材固定部に前記面材が取り付けられている状態において、前記面材と前記フード前面部とで略一平面を形成するという構成にしてもよい。これにより、フード前面部と面材の前面部の凹凸がなくなり、同じ平面でフロントフード前面が揃うこととなるので、フロントフード前面と吊戸棚や幕板のデザインを調和させることができる。
【００１５】
また、前記面材固定部は、開口を有し、前記面材は、取付金具を備え、前記開口と前記取付金具とが係合するという構成にしてもよい。これにより、現場でフード本体を設置した後でも、面材を選択して取り付けることが可能となるので、フロントフード前面と吊戸棚や幕板のデザインを調和させることができる。
【００１６】
また、前記取付金具は、突起部と、水平面と、を有し、前記面材固定部に前記面材が取り付けられている状態において、前記突起部は前記開口に挿入され、前記水平面は前記面材固定部の上面と当接するという構成にしてもよい。これにより、フロントフードの前面および下面にねじやリベットの部品を露出させずに取り付けることが可能となるので、フロントフード前面と吊戸棚や幕板のデザインを調和させることができる。
【００１７】
また、前記送風機の運転を操作する操作部を前記フード前面部に設けた構成にしてもよい。これにより、フード前面部に操作部（例えば樹脂製のスイッチなど）が配置されるためフード前面部の板金部品の塗装面積を減らすこととなるので、フロントフード前面と吊戸棚や幕板のデザインを調和させることができる。
【００１８】
以下、本発明の実施の形態について図面を参照しながら説明する。
【００１９】
（実施の形態１）
まず、図１から図３を用いてレンジフードの基本構成について説明する。図１は、レンジフードの断面図である。図２は、レンジフードを下方から見た斜視図である。図３は、レンジフードを上方から見た斜視図である。
【００２０】
図１に示すように、レンジフード１は、整流板２と、ファンボックス４と、フード本体６とを備える。
【００２１】
コンロ等の調理機器（図示せず）の上方に、平板状の方形（四角形）の整流板２を設ける。
【００２２】
フード本体６は、吸込口３と、排出口５と、フロントフード１３とを有する。
【００２３】
吸込口３は、整流板２の近傍に設けられる。具体的には、整流板２の手前側すなわち調理者（図示せず）が立つ側に設けられる。吸込口３は、調理する際に調理機器（例えば鍋やフライパン等）から発生する湯気や煙あるいは周囲の空気を吸い込む。吸込口３は、空間１１と連通する。空間１１は、整流板２とフード本体６とで仕切られる空間である。
【００２４】
排出口５は、フード本体６の天面に設けられる。排出口５は、ダクト（図示せず）を介して屋外等と連通する。
【００２５】
フード本体６は、手前側すなわち調理者が立つ側にフロントフード１３を有している。フロントフード１３は、フード本体６に対して着脱可能である。
【００２６】
ファンボックス４は、フード本体６の上部に設置される。具体的には、ファンボックス４は、フード本体６の上方すなわち天井側において、整流板２の奥側すなわち調理者が立つ側と対向する側に設けられる。ファンボックス４は、吸込口３の上方に設けた空間１１と連通するようにフード本体６に対して設置される。
【００２７】
ファンボックス４は、モーター７と、シャフト９と、遠心ファン１２（送風機）とを内蔵する。遠心ファン１２は、ファンボックス４の排出口５付近に設けられる。モーター７は、直流あるいは交流で回転する。モーター７が回転することで、シャフト９を介して結合した複数のブレード１０を有した遠心ファン１２が回転する。遠心ファン１２が回転することで、吸込口３から空気を吸い込み、吸い込んだ空気を外周へ排気する。遠心ファン１２は、例えばシロッコファンあるいはターボファン等である。
【００２８】
レンジフード１において、吸込口３と排出口５を結ぶ通風路が形成される。油煙等を含む空気は、遠心ファン１２の作動によって吸込口３から吸い込まれ、通風路を通って、排出口５から吐き出される。
【００２９】
次に、図４を用いてフロントフードの構成について説明する。
【００３０】
図４に示すように、フロントフード１３は、フード前面部１４と、面材固定部１５とを有する。
【００３１】
フード前面部１４は、ファンボックス４から離れる方向に向かって面材固定部１５から突出している。すなわち、フロントフード１３は、平面視において略Ｔ字形状である。
【００３２】
レンジフード１の運転を操作するスイッチ等の操作部２１（例えば樹脂製のスイッチなど）をフード前面部１４に設ける。フード前面部１４は主に板金で構成されるが、フード前面部１４に操作部２１が配置されることで、フード前面部１４の板金部品の塗装面積を減らすこととなる。その結果、フロントフード１３前面と吊戸棚やカウンター下方の扉部、フード本体６上方の幕板のデザインを調和させることができるという効果を奏する。
【００３３】
面材固定部１５には面材１６が取り付けられる。面材固定部１５は、フロントフード１３の両端に設けられる。面材固定部１５は、フロントフード１３の一部を切り欠いた部分であり、切り欠いた部分に面材１６が取り付けられることとなる。
【００３４】
すなわち、面材１６は、面材固定部１５に対して着脱可能である。
【００３５】
この構成により、フロントフード１３前面の面材固定部１５に取り付けられる面材１６を、キッチンの吊戸棚やカウンター下方の扉部、フード本体６上方の幕板と同じく豊富な種類の面材（例えば、５０〜９０種類）から選択することができる。その結果、キッチンのデザイン性の向上が求められるなか、フロントフード１３前面と吊戸棚や幕板のデザインを統一でき調和させることができるという効果を奏する。
【００３６】
また、キッチンの外観の印象を変える小規模なリフォーム等で、吊戸棚やカウンター下方の扉部やフード本体６上方の幕板の面材１６のデザインのみを変える際、フード本体６を買い替えることなく、面材固定部１５から面材１６を取り外すことで周囲のデザイン変更に対応し調和することができるという効果も奏する。
【００３７】
面材固定部１５は、図５に示すように、例えば縦長のスリット状の開口１７を有している。開口１７と後述する取付金具１８とが係合する。
【００３８】
また、面材固定部１５に面材１６が取り付けられている状態において、面材１６とフード前面部１４とで略一平面を形成する（図３参照）。この構成により、フード前面部１４と面材１６の前面部の凹凸がなくなり、同じ平面でフロントフード１３前面が揃うこととなるので、結果、同じく前面が揃っている吊戸棚と幕板にデザインを調和させることができるという効果を奏する。
【００３９】
面材１６は、図６に示すように、外観となる面に対向する側に取付金具１８を備える。取付金具１８は、突起部１９と、水平面２０と、を有する。
【００４０】
突起部１９は、面材１６の背面（フロントフードと対向する面）側から突出している。
【００４１】
水平面２０は、面材１６の背面側の上面端部から突出している。水平面２０には、ねじ穴２２が設けられる。
【００４２】
以下、図７を参照しながら、面材の取付方法について説明する。
【００４３】
まず、図７（ａ）に示すように、突起部１９を開口１７に挿入する（図７（ａ））。そして、突起部１９が開口１７に挿入された状態で面材１６を下方へ移動させることで（図７（ｂ））、水平面２０は面材固定部１５の上面１５ａと当接する（図７（ｃ））。水平面２０と上面１５ａとが当接している状態で、ねじ穴２２からねじ（図示せず）を挿入し、面材１６を面材固定部１５に固定する。
【００４４】
この構成により、現場で例えばリフォームやリノベーション、新築の際に、フード本体６を取り付け設置した後でも、面材１６を選択して取り付けることが可能となるので、結果、フロントフード１３前面と吊戸棚やカウンター下方の扉部、フード本体６上方の幕板のデザインを調和させることができるという効果を奏する。また、フロントフード１３前面および下面に固定用のねじやリベット等の部品を露出させずに面材を取り付けることが可能となる。その結果、フロントフード１３前面と吊戸棚やカウンター下方の扉部、フード本体６上方の幕板のデザインを調和させることができるという効果を奏する。さらに、水平面２０が面材固定部１５の上面１５ａと当接することに加えて、開口１７と突起部１９が係合することで、フロントフード１３と面材１６との固定がより安定する。
【００４５】
なお、フード前面部１４の前面をすべて操作部２１とする構成にしてもよい。
【００４６】
この構成により、面材１６、塗装部分、操作部２１と大きく３種類の素材が外観に表れていたフロントフード１３前面を、面材１６と操作部２１の２種類の素材で形成することができる。その結果、フロントフード１３前面と吊戸棚やカウンター下方の扉部、フード本体６上方の幕板のデザインを調和させることができるという効果を奏する。
【００４７】
さらに、操作部２１は凹凸のない例えばガラスやアクリルを素材とした電位変化や静電容量変化で操作を行う静電タッチ方式や液晶方式としてもよい。これにより、フロントフード１３前面と吊戸棚やカウンター下方の扉部、フード本体６上方の幕板のデザインを調和させることができるという効果を奏する。
【００４８】
また、本実施の形態では、壁付けタイプで説明したが、背面を壁に取り付けるタイプや側面を取り付けるサイドフード、天井に吊り下げるセンターフードであってもよい。
【００４９】
さらに、本実施の形態では、面材の固定方法はねじとしたが、磁石等を使用してもよい。
【００５０】
以上、本発明に係るレンジフードについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００５１】
本発明は、フード前面部と吊戸棚や幕板等のデザインを調和させることを可能とするものであるので、外観部のデザインの調和が求められる換気装置やその他周辺機器等にも適用することができる。
【符号の説明】
【００５２】
１    レンジフード
２    整流板
３    吸込口
４    ファンボックス
５    排出口
６    フード本体
７    モーター
９    シャフト
１０    ブレード
１１    空間
１２    遠心ファン
１３    フロントフード
１４    フード前面部
１５    面材固定部
１５ａ    上面
１６    面材
１７    開口
１８    取付金具
１９    突起部
２０    水平面
２１    操作部
２２    ねじ穴
【図１】
2020139651.tif 000003
【図２】
2020139651.tif 000004
【図３】
2020139651.tif 000005
【図４】
2020139651.tif 000006
【図５】
2020139651.tif 000007
【図６】
2020139651.tif 000008
【図７】
2020139651.tif 000009
【図８】
2020139651.tif 000010